(57)【要約】互いに接続する接続手段の組を含む二つ以上の枠体部品を備える枠体であって、閉塞空間が前記枠体部品の間で形成され、シール手段が前記枠体に形成される受光窓と、感光型接着剤とから形成される。前記枠体部品の間、又は少なくとも前記枠体部品の一方に提供される感光型接着剤と光ガイドは、前記受光窓からの光を前記感光型接着剤に導光するように前記枠体の中に形成される。
2008527686.tif 000002
【特許請求の範囲】
【請求項１】
部品を互いに接続する接続手段の組(20、 21)を備えた、枠体の二つ以上の枠体部品(10、11)と、
前記枠体部品(10、11)の間で形成される閉塞空間(5)と、
前記枠体部品(10、11)を、シール状態で接続するシール手段と、を備えた枠体(1)であって、
前記シール手段(30)は、
前記枠体(1)に形成される受光窓(31)と、
感光型接着剤(35)と、
前記受光窓(31)からの光を、前記感光型接着剤(35)まで導光させるように前記枠体(1)の内部に形成される光ガイド(32)と、を備え、
前記感光型接着剤(35)を、前記枠体部品(10、11)の間、又は少なくとも一つの前記枠体部品(10、11)及び前記光ガイド(32)の間に設けることを特徴とする枠体。
【請求項２】
前記感光型接着剤(35)は、第１の波長の光に露光されることで溶解することを特徴とする請求項１に記載の枠体。
【請求項３】
前記感光型接着剤(35)は、第２の波長の光に露光されることで硬化することを特徴とする請求項１または２に記載の枠体。
【請求項４】
前記光ガイド(32)は、前記枠体部品(10、11)の前記接続手段(20、21)の内側の周囲に沿って形成されることを特徴とする請求項１乃至３のいずれか１項に記載の枠体。
【請求項５】
前記感光型接着剤(35)は、前記接続手段(20、21)の少なくとも一方に形成される溝部(17)に適用されることを特徴とする請求項１乃至４のいずれか１項に記載の枠体。
【請求項６】
前記光ガイド(32)は、前記溝部(17)の内部に延びる少なくとも一つのフランジ（34）とともに形成されることを特徴とする請求項５に記載の枠体。
【請求項７】
前記光ガイド(32)は、前記枠体部品(10、11)の一方で全体的に形成されることを特徴とする請求項１乃至３のいずれか１項に記載の枠体。
【請求項８】
前記光ガイド(32)は、前記感光型接着剤(35)から形成されることを特徴とする請求項１乃至７のいずれか１項に記載の枠体。
【請求項９】
前記枠体(1)は、 携帯式の無線通信機器用であることを特徴とする請求項１乃至７のいずれか１項に記載の枠体。
【請求項１０】
枠体(1)の二つ以上の枠体部品(10、11)の間に形成されるシールであって、前記枠体部品(10、 11)は、それらの間で閉塞空間(5)を形成し、 前記枠体部品(10、11)は互いに接続する接続手段の組(20、 21)を備え、前記シールは、
前記枠体(1)に形成される受光窓(31)と、
感光型接着剤(35)と、
前記受光窓(31)からの光を前記感光型接着剤(35)まで導光させるように前記枠体(1)の内部に形成される光ガイド(32)と、を備え、
前記感光型接着剤(35)を前記枠体部品(10、11)の間、又は少なくとも一つの前記枠体部品(10、11)及び前記光ガイド(32)の間に設けることを特徴とするシール。
【請求項１１】
前記感光型接着剤(35)は、第１の波長の光に露光されることで溶解することを特徴とする請求項１０に記載のシール。
【請求項１２】
前記感光型接着剤(35)は、第２の波長の光に露光されることで硬化することを特徴とする請求項１０または１１に記載のシール。
【請求項１３】
前記光ガイド(32)は、前記感光型接着剤(35)から形成されることを特徴とする請求項１０乃至１２のいずれか１項に記載のシール。
【請求項１４】
密封された枠体(1)の組み立て及び分解方法であって、
二つ以上の枠体部品(10、11)と、
前記枠体部品(10、11)の間に形成される閉塞空間(5)と、シール手段とを備え、前記枠体部品(10、11)は互いに接続するための接続手段の複数の組(20、 21)を備え、
前記シール手段は、
前記枠体(1)に形成される受光窓(31)と、
感光型接着剤(35)と、
前記受光窓(31)からの光を前記感光型接着剤(35)まで導光させるように前記枠体(1)の内部に形成される光ガイド(32)と、を備え、
前記感光型接着剤(35)は、前記枠体部品(10、11)の間、又は少なくとも一つの前記枠体部品(10、11)及び前記光ガイド(32)の間に適用され、
前記感光型接着剤(35)は、硬化して耐久性を有するシールを形成し、
前記受光窓(31)を通して前記感光型接着剤(35)に第１の波長の光を適用すると前記感光型接着剤(35)が溶解することを特徴とする組み立て及び分解方法。
【請求項１５】
前記感光型接着剤(35)は、第２の波長の光に露光されることで硬化することを特徴とする請求項１４に記載の組み立て及び分解方法。
【請求項１６】
前記光は、前記感光型接着剤(35)によって構成される光ガイド(32)で導光されることを特徴とする請求項１４または１５に記載の組み立て及び分解方法。
【発明の詳細な説明】
【技術分野】
【０００１】
本発明は、二つ以上の枠体の部品を含む枠体に係り、閉塞空間が上記の複数の部品の間に形成され、上記の複数の部品の間には対応する部位を互いに接続する接続手段と、上記の部品をシール状態で接続するシール手段とからなる組が設けられる。
【０００２】
本発明は、枠体の二つの部品の間で形成されるシールにさらに関連しており、上記の部品はその間に閉塞空間を形成し、上記の部品はこれらを互いに接続するための複数の接続手段を備える。
【０００３】
本発明は、少なくとも二つの枠体部品を備える密封された枠体の組み立て方法及びその分解方法にさらに関連しており、閉塞空間が上記の枠体部品の間に形成され、上記の枠体部品には、対応する部位を互いに接続する接続手段と、上記の部品をシール状態で接続するシール手段とからなる組が設けられる。
【背景技術】
【０００４】
携帯式の移動通信装置及びこの種の装置は、電子的及び機械的構成要素を遮蔽するためのハウジングを備えているが、ハウジング内に内蔵される上記の各構成要素は携帯使用されるために衝撃に影響され易く、衝撃により内部の構成要素の機能的な損傷を招くことがある。したがって、このような種類の装置に使用されるハウジングは、開くことが必要となり、内部の構成要素にアクセスでき、修理するかまたは構成要素を取り替えることができるように構成する必要がある。したがって、通常この種のハウジングは、二つ以上の分離可能かつ相互に接続される部品から構成される。しかしながら、未熟練者が内部の機能的な構成要素へアクセスすることは非常に望ましくない。
【０００５】
したがって、装置は許可されていない者または未熟練者が開くことができないようにする必要がある。ハウジングの部品を接続するための典型的な方法は、ハウジングの部品の間に設けられるネジの形態のシール手段を使用することが挙げられる。このようなネジは、専用ツールを必要とする特殊ネジ頭部とすることで、通常のツールでは取り外すことができなくするか、取り外しを少なくとも困難にすることができる。しかしながら、この種のネジは頻繁に使用されるとネジ頭部が破損する傾向があるので、枠体の内部へのアクセスが防がれるかまたは妨害されることになる。また、ネジまたは他の機械的部品は枠体から取り除かれると紛失する傾向がある。
【０００６】
また、ハウジングの部品を接着して接続すること、あるいは様々な機械式結合部品である、例えばスナップロックを部品の間に設けることが知られている。枠体を接着または永久機械式接続手段を用いて接続することは、素人のみならず専門修理担当者も同様に枠体の内部へアクセスするときに、枠体または内部の構成要素のシール状態に重大な損傷を及ぼすことになる。
【０００７】
種々のタイプの接着剤が知られている。特定のタイプの接着剤は、特に紫外線(UV)の範囲の光の特定の波長に露出されると硬化する。一つのタイプの接着剤は、第１の波長に露光することで硬化でき、別の波長に露光することで溶解できる。この接着剤は、硬化のための波長が紫外線(UV)の範囲であり、溶解のための波長が赤外線(IR)の範囲である。このような接着剤は、例えば作業台を用いた現場で使用されている。作業台には、複数の光ガイドまたはセラミックのタップを備えた領域が設けられる。作業台上の処理されるべき金属物体を作業台に固定するために、物体に塗布された接着剤に対して上記の光ガイドを通過する紫外線光をセラミックのタップを介して照射することで接着剤を硬化させる。物体の作業工程が完了すると、光ガイドを通過する赤外範囲の光を照射することで作業台から物体を取り外すことができる。この技術は、“Klister erstatter skuvstycke"が、2004年8月25日にスウェーデン国の定期刊行物である“Ny Teknik"に発表した論文に記載されている。
【発明の開示】
【０００８】
本発明の目的の一つは、枠体のシールを行うための改善された方法及び代替の方法の少なくともいずれかを提供することであり、特に内部に電子構成要素を内蔵した携帯用の無線通信装置や他の用途の電子装置に使用される枠体が十分に熟練していない人々及び専門外の人を寄せ付けないようにして、内部の電子構成要素を損傷せず、また接触によって構成要素自体も損傷されることのないようにすることである。また、改良された密閉枠体と改良されたシール状態を提供することも本発明の目的である。
【０００９】
発明者は、シール状態と密閉枠体とを提供するとともに、シール状態に組み立てた後に分解し、組み立てた後にシール状態にするために、感光型接着剤を効果的に使用できることを発見した。
【００１０】
上記の本発明の目的は、二つ以上の枠体の枠体部品であって、前記枠体部品は、前記枠体部品の間を互いに接続するための接続手段の組を備え、閉塞空間が前記枠体部品の間で形成され、前記枠体部品を、シール状態に接続するためのシール手段とを備えた枠体であって、前記シール手段は、前記枠体に形成される受光窓と、感光型接着剤と、前記受光窓からの光を前記感光型接着剤まで導光させるように前記枠体の内部に形成される光ガイドとを備え、前記感光型接着剤は、前記枠体部品の間、または少なくとも前記枠体部品及び前記光ガイドの間に設けられることを特徴とした枠体により達成される。
【００１１】
また、前記感光型接着剤は、第１の波長の光に露光されることで溶解することを特徴としている。
【００１２】
また、前記感光型接着剤は、第２の波長の光に露光されることで硬化することを特徴としている。
【００１３】
また、他の実施形態の前記光ガイドは、前記枠体部品の前記接続手段の内側の周囲に沿って形成されることを特徴としている。
【００１４】
また、前記感光型接着剤は、前記接続手段の少なくとも一方に形成される溝部に適用されることを特徴としている。
【００１５】
また、前記光ガイドは、前記溝部の内部に延びる少なくとも一つのフランジ34から形成されることを特徴としている。
【００１６】
また、前記光ガイドは、前記枠体部品の一方において全体的に形成されることを特徴としている。
【００１７】
また、前記光ガイドは、前記感光型接着剤から形成されることを特徴としている。
【００１８】
また、前記枠体は、 携帯用の無線通信端末装置用であることを特徴としている。
【００１９】
また、本発明の別の目的は、枠体の二つ以上の部品の間で形成され、前記枠体部品はそれらの間で閉塞空間を形成し、前記枠体部品は、互いに接続するための接続手段の組を備えてなるシールであって、前記枠体に形成される受光窓と、感光型接着剤と、前記受光窓からの光を前記感光型接着剤まで導光させるように前記枠体の内部に形成される光ガイドとを備え、前記感光型接着剤は、前記枠体部品の間、または少なくとも前記枠体部品及び前記光ガイドの間に設けられるシールにより達成される。
【００２０】
また、一実施形態の前記感光型接着剤は、第１の波長の光に露光されることで溶解することを特徴としている。
【００２１】
また、他の実施形態の前記感光型接着剤は、第２の波長の光に露光されることで硬化することを特徴としている。
【００２２】
また、さらに他の実施形態の前記光ガイドは、前記感光型接着剤から形成されることを特徴としている。
【００２３】
また、本発明の別の目的は、密封された枠体の組み立て及び分解方法であって、二つ以上の枠体の部品と、前記枠体部品の間に形成される閉塞空間と、前記枠体部品は、互いに接続するための接続手段の複数の組を備え、シール手段は、前記枠体に形成される受光窓と、感光型接着剤と、前記受光窓からの光を前記感光型接着剤(35)まで導光させるように前記枠体の内部に形成される光ガイドと、を備え、前記感光型接着剤は、前記枠体部品の間、または少なくとも前記枠体部品及び前記光ガイドの間に設けらる第１の工程と、前記感光型接着剤は、硬化により耐久性を有するシールを形成する第２の工程と、前記受光窓を通して感光型接着剤に第１の波長の光を適用すると前記感光型接着剤が溶解する第３の工程を備える方法により達成される。
【００２４】
また、一実施形態の前記感光型接着剤は、第２の波長の光に露光されることで硬化することを特徴としている。
【００２５】
また、一実施形態の前記光は、前記感光型接着剤によって構成される光ガイドで導光されることを特徴としている。
【００２６】
光ガイドとして特定された事項は、光を誘導できる素材から構成されるものとして理解されるだろう。
【００２７】
枠体として特定した事項は、１組の各表面の間に空間を形成し、 枠体の外部からこの空間内へのアクセスが制限されるような枠体として理解されよう。これらの各表面には挿入物のために適合させられる開口部が設けられるであろう。このような挿入物としては、例えば閉塞空間内に配置される電子構成要素に接続される液晶ディスプレイ、プッシュボタン及び電気コネクタ類が挙げられる。
【００２８】
上記の「枠体」と関連した事項である「閉塞空間」とは、枠体を傷つけることなく手または工具を用いてアクセスすることが不可能となる空間として理解されるであろう。
【００２９】
ここで、「具備する/備える」との文言が本明細書で使用される場合には、その他の一つ以上の構成、 工程、 構成要素またはこれらの組み合わせが含まれることを意味することになる。
【００３０】
電子装置として特定した事項は、携帯用の無線通信装置を含む。この携帯用の無線通信装置であって、移動端末装置とも呼ばれる装置としては、移動電話、ページャ（PDA装置）、コミュニケータ、電子オーガナイザ、スマートフォン、あるいはこれらと同様の装置が含まれることになる。
【発明を実施するための最良の形態】
【００３１】
以下に、本発明の各実施形態について添付の図面を参照して詳細に述べる。
【００３２】
図1において、本発明の枠体1の一実施形態が図示されており、この枠体1は二つの枠体部品10、11である上部部品11および下部部品10を備える。この枠体1の部品10、11の間において閉塞空間5が形成される。望ましくは、この閉塞空間5は、電子構成要素(不図示の）に対して権限のないものがみだりに手を入れアクセスすることを避けるために、完全にシールする必要がある。
【００３３】
下部部品10は、底面及び1組の側壁を備える。これに対応する上部部品11は上面及び1組の側壁を備える。二つの部品10、11を接合するために、相互接続手段20、21が側壁の夫々の(図2A、 2B及び図2Dを参照のこと)フランジ40、41に提供され、夫々の部品10、11が接続されるように相互接続手段20、21が互いに当接するように協働する。これらの相互接続手段20、21は、図2Aに図示されるように相対する表面であると良い。
【００３４】
シール手段は、前述の部品10と部品11とをシール状態で接続するように相互接続手段20、21の夫々に形成される。
【００３５】
これらのシール手段は、受光窓31と一体形成される光ガイド32を備える。受光窓31と枠体1の部品10、11は、枠体1の外部から受光窓31を目視できかつアクセスできるように形成される。図1に図示した実施形態において、夫々の部品10、11には凹部12、13が枠体1の領域14の周りに受光窓31を取り囲むように形成されており、カバーまたはラベル(不図示の)により受光窓31を覆うことで光ガイド32に侵入する外光を防止できるようにしている。これらの凹部12、13は、枠体部品10、11の壁厚をこれらの領域で部分的に薄く形成することで枠体部品10、 11の夫々に形成することができる。領域14の上に設けられるラベルまたはカバーによれば受光窓31を隠すことができ、また美的な外観を構成する滑らかな外側の表面を提供できる。このラベルかカバーは容易に手で脱着可能に設けられ、例えば、従来の接着剤を使用して枠体の凹状の領域14に接着または嵌合される。
【００３６】
この実施形態における光ガイド14では、カバー部品10、11の側壁の内部に沿う相互接続手段20、21の内側の周囲に延びて設けられている。図2A及び図2Cから分かるように、光ガイド32の本体部33は、上側の枠体部品11の側壁の内側の周囲15に接合される。この接続部は永久接合であっても良い。この恒久的な接合は、例えば、従来の非感光型接着剤、溝部とリップ部の間のスナップ係合、タップ、溶接等の多くの異なった方法で行うことができる。この代わりに、部品11の側壁の光ガイド32と内側の周囲15の間の接続部は非永久的であるが、枠体1の外部からアクセスすることが不可能となるように構成しても良い。
【００３７】
下側のカバー部品10の周囲16には、接着剤用の溝部17が側壁の全周に亙るように形成されている。
【００３８】
光ガイド32は、フランジ34を本体部33から延びるように形成しており、このフランジ34を少なくとも溝部17に嵌合させることで溝部17の底部とフランジ34との間に空間が形成されている。感光型接着剤35の一部がこの空間を満たすように設けられるので、光ガイド32は下部部品10に固定され、上記のように上部部品11が固定される。したがって、この感光型接着剤35はシール手段の一部を形成することになる。
【００３９】
また、枠体の部品のフランジ40、41は光が枠体1の内部に入ることを防止する。
【００４０】
上記の実施形態によれば、光ガイド32は図1で示されるように二つの部品10、11の相互接続領域の全体に亙り形成されている。しかしながら、光ガイド32は二つの部品10、11の間の一部分のみに提供されるような部品として形成しても良い。
【００４１】
図3に図示される別実施形態によれば、光ガイド32の受光窓31は上部枠体部品11からのみアクセス可能となるように設けられており、二つの部品10、11の間の相互接続領域の一部においてシール手段を備えない構成となっている。また、溝部17は下部部品10の全体の周囲16に亙って延びていない。したがって、シール手段を設けない領域を、枠体を閉じるために用い、かつ通信を許容するために内部の構成要素に接続するために利用することができる。図3において、例えば、枠体1に内蔵される電池の充電用ジャック50をこの領域に設けることができる。
【００４２】
図3において、受光窓31を取り囲む凹状領域14が図示されている。この領域/範囲は、上記のように受光窓31への光の侵入を防ぐラベルかカバーの位置決めのために設けることができる。
【００４３】
枠体1は、二つ以上の部品から組み立てられるであろう。図1と図3によれば、枠体はほとんど等しいサイズの二つの部品によって形成される。しかしながら、枠体部品は相対的に異なったサイズに形成でき、例えば、一つの比較的に小さい部品をより大きな部品に形成された開口部に設けるように構成しても良い。また、枠体部品には上記のシール手段に加えて蝶番などの他の追加的な機械的結合手段を設けても良い。
【００４４】
枠体のシールは一つ以上の光ガイドを設けても良く、それぞれの光ガイド32を受光窓31に続くように形成し、少なくとも感光型接着剤35の一部が相互接続手段20、21の1組分に接続するか、または上記の光ガイド32と相互接続手段に接続するようにしても良い。
【００４５】
二つ以上の枠体の部品を含む枠体では、1個以上のシールが部品を密閉するために設けられ、各シールは少なくとも一つの受光窓及び感光型接着剤の一部を備えることになるであろう。
【００４６】
望ましくは、光ガイドは、ガラス、高分子材料(プラスチック)またたは光を伝導するのに適当なセラミック材料から形成されると良い。
【００４７】
また、枠体は、個別の枠体部品10、11の内部の全体に渡り形成される光ガイドと共に形成することもでき、この場合には光ガイドは受光窓31から二つの部品10、11が接続される部位まで延びるように形成され、この部位において感光型接着剤の一部を設けるようにしても良い。さらに、光ガイド32は、枠体部品10、11の複数の相互接続部位に対してただ一つの受光窓31からの光を導光できるように分割して設けても良い。
【００４８】
枠体1は、特に携帯用の無線通信装置に最適であるが、閉塞空間をシールする必要があるあらゆる状況下で有利に使用することができる。
【００４９】
枠体1は、枠体の内部の第2の空間へのアクセスを提供する着脱可能なカバーまたは別部品を備えることができ、この第2の空間は内部へのアクセスのための権限のない人であるユーザが簡単にアクセスできるように構成しても良い。モバイル電話において第2の空間内に電池とSIMカードを収容して、毎日使用するユーザが電池とSIMカードを簡単に取り替えることができるように構成しても良い。したがって、第2の空間へは下手な人、または権限のないユーザがアクセス可能であるが、アクセス不可能な内部空間5からは独立して設けられることになる。
【００５０】
光ガイド32と枠体1は、非密封状態の第2の空間の内部から一つ以上の受光窓31に対してアクセスできるようにして、第2の空間を例えば移動電話の電池ボックスとして用いることができる。この場合にも、この受光窓31には取り外し可能なラベルまたはカバーが設けられる。
【００５１】
別の実施形態(不図示)によれば、部品10、11の双方の周囲に溝部17を設け、対向する二つのフランジ34に夫々光ガイド32を設け、感光型接着剤35の一部を各光ガイドと枠体部品との間に設けて互いに固定しても良い。またこの代わりに、図2Dに図示したように下側の枠体部品10に溝部17に似た溝部をフランジ34に対向して設け、図2Cに図示したような光ガイド32を上部部品11に設けても、同様の効果を得ることができる。
【００５２】
枠体1の閉塞空間5を、複数の小部屋に細分化する場合もある。  
枠体1の組立作業において、感光型接着剤が下側の枠体部品10の溝部17中に先ず適用される。次に、光ガイド32と他の枠体部品11とからなる組立体が下側の枠体部品10の上に置かれるが、このとき光ガイド32のフランジ34は溝部17内に拡張されることで、接着剤が溝部17とフランジ34の側面に対して分散する状態になる。これに続き、第2の波長の光である、例えば紫外線範囲の光源を受光窓31に向けることによって、受光窓31を通して光ガイド32に適用される。この光は、光ガイド32を通過して接着剤に到達し、接着剤を硬化することになる。
【００５３】
次に、受光窓31はラベルかカバー(不図示)で覆われるであろう。
【００５４】
したがって、以上のようにして密封された閉塞空間5へは、権限のない人または少なくとも技能及び光源装置を有しないものはアクセスすることができなくなる。
【００５５】
何らかの理由であって、例えば密封された空間内の構成要素を修理するために、密封された空間5にアクセスすることが必要になると、受光窓31にラベル/カバーが設けられている場合には、これらを取り除き、受光窓31から望ましくは赤外線範囲の光源の波長で光を照射することで枠体1が分解されるであろう。すなわち、光は光ガイド32を通り、感光型接着剤に入ることで、接着剤が溶解することで、枠体部品10、11が分解すの結果、枠体1の中の内部の密封された空間5へのアクセスが可能になる。
【００５６】
枠体1を分解し内部構成の修復を行った後に、枠体1は同じ接着剤を使用するか、または新しい層を感光型接着剤に加えて再び組み立てられるであろう。
【００５７】
したがって、上記の枠体の組立及び分解方法によれば感光型接着剤が使用され、この接着剤は第2の波長の光に露光されることで硬化し、第1の波長の光に露光されることで溶解する。この第2の波長の光は望ましくは紫外線範囲であり、第1の波長の光は望ましくは、赤外線範囲である。
【００５８】
上記とは異なる範囲の波長で硬化及び溶解可能な接着剤も使用可能である。このような接着剤を本発明の枠体とシールおよび方法に容易に使用できるであろう。
【００５９】
別の実施形態によれば、上記のように第1の波長の光の照射で溶解するが、気化または乾燥あるいは二液性接着剤のように硬化する感光型接着剤を利用することができる。この場合には、枠体1の封をするために光を接着剤に照射する工程を省くことができるが、上記のように密封された枠体1を修復のために再び開くことができる。
【００６０】
上記の全ての実施形態によれば、光ガイドは光透過性のセラミック材料またはガラスあるいは光透過性の塑性材料である、例えば ポリカーボネートから形成されるであろう。  本発明の別の実施形態では、光ガイド32は感光型接着剤35自体から形成され、この光ガイドが硬化する状態と溶解する状態になるように光の伝導/導光を行うようにできる。この接着剤によれば、各枠体部品10、11を接続する糊として使用できることになる。光ガイド32が感光型接着剤から構成される場合には、望ましくは受光窓は枠体1中の接着剤とは個別に形成されるべきである。
【００６１】
代替の実施形態によれば、枠体の中で感光型接着剤を硬化又は溶解させるために、第1又は第2の波長の光を供給するための一つ以上の光源が提供されるであろう。この光源は例えば、枠体の外部か枠体の外側の表面で形成されたキーパッド操作により電子的に異なる波長の光を照射することができるように構成される。
望ましくは、枠体は樹脂成形品、金属部品またはこれらの組合せから構成すると良い。
【図面の簡単な説明】
【００６２】
【図１】は、本発明の実施形態になる枠体の一部を破断して示した外観斜視図ある。
【図２Ａ】は、図1に図示した枠体の一部の横断面図である。
【図２Ｂ】は、図2Aに図示した枠体の下側の枠体部品の詳細を示す横断面図である。
【図２Ｃ】は、図2Aに図示した枠体のシールの光ガイドを示す横断面図である。
【図２Ｄ】は、図2Aに図示した下側の枠体部品の詳細を示す横断面図である。
【図３】は、本発明の別の実施形態に従った枠体の一部を破断した外観斜視図ある。
【図１】
2008527686.tif 000003
【図２Ａ】
2008527686.tif 000004
【図２Ｂ】
2008527686.tif 000005
【図２Ｃ】
2008527686.tif 000006
【図２Ｄ】
2008527686.tif 000007
【図３】
2008527686.tif 000008
【国際調査報告】
2008527686.tif 000009
2008527686.tif 000010